(57)【要約】【課題】本発明は、証券取引情報を用いた証券コレクションランキングの算出方法、検索サーバ及びコンピュータ読み取り可能な記録媒体に関する。【解決手段】本発明の一態様によると、検索サーバによって行われる証券コレクションランキングの算出方法であって、証券取引情報を収集する段階と、前記収集された証券取引情報に基づいて前記証券コレクションランキングを算出する段階と、を含むことを特徴とする証券コレクションランキングの算出方法が提供される。【選択図】図４
2013140579.tif 000002
【特許請求の範囲】
【請求項１】
検索サーバによって行われる証券コレクションランキングの算出方法であって、
証券取引情報を収集する段階と、
前記収集された証券取引情報に基づいて前記証券コレクションランキングを算出する段階と、を含む、証券コレクションランキングの算出方法。
【請求項２】
前記証券コレクションランキングを算出する段階は、前記収集された証券取引情報を分析して証券に関するイシューが発生したか否かを判断し、証券に関するイシューが発生した場合に限り前記収集された証券取引情報に基づいて前記証券コレクションランキングを算出することを特徴とする、請求項１に記載の証券コレクションランキングの算出方法。
【請求項３】
前記証券取引情報は、株価情報、取引高情報、取引代金情報、公示情報のうち少なくとも一つ以上の情報を含むことを特徴とする、請求項２に記載の証券コレクションランキングの算出方法。
【請求項４】
前記証券コレクションランキングを算出する段階は、新たな公示情報が登録された場合、証券に関するイシューが発生したと判断することを特徴とする、請求項３に記載の証券コレクションランキングの算出方法。
【請求項５】
前記証券コレクションランキングを算出する段階は、株価の変動幅、株式取引高の変動幅、株式取引代金の変動幅のうち少なくとも一つが予め設定された変動幅以上である場合、証券に関するイシューが発生したと判断することを特徴とする、請求項３に記載の証券コレクションランキングの算出方法。
【請求項６】
前記証券コレクションランキングを算出する段階は、前記証券に関するイシューが発生したと判断された場合、前記証券コレクションランキングを１等級に決定することを特徴とする、請求項２に記載の証券コレクションランキングの算出方法。
【請求項７】
前記証券コレクションランキングを算出する段階は、前記証券に関するイシューが発生したと判断された場合、前記証券コレクションランキングを前記予め設定された変動幅以上の変動幅を有する証券取引情報の変動幅に比例するように算出することを特徴とする、請求項５に記載の証券コレクションランキングの算出方法。
【請求項８】
前記証券コレクションランキングを算出する段階は、前記収集された証券取引情報及びユーザフィードバック情報に基づいて前記証券コレクションランキングを算出することを特徴とする、請求項１に記載の証券コレクションランキングの算出方法。
【請求項９】
請求項１〜８の何れか一項に記載の方法を行うためのプログラムが記録された、コンピュータ読み取り可能な記録媒体。
【請求項１０】
証券コレクションランキングを算出して検索結果を提供する検索サーバであって、
証券取引情報を収集する証券取引情報収集部と、
前記収集された証券取引情報に基づいて前記証券コレクションランキングを算出するコレクションランキング算出部と、を含むことを特徴とする、検索サーバ。
【請求項１１】
前記検索サーバは、前記収集された証券取引情報を分析し、証券に関するイシューが発生したか否かを判断するイシュー発生判断部をさらに含み、
前記コレクションランキング算出部は、証券に関するイシューが発生されたと判断された場合に限り前記収集された証券取引情報に基づいて前記証券コレクションランキングを算出することを特徴とする、請求項１０に記載の検索サーバ。
【請求項１２】
前記証券取引情報は、株価情報、取引高情報、取引代金情報、公示情報のうち少なくとも一つ以上の情報を含むことを特徴とする、請求項１１に記載の検索サーバ。
【請求項１３】
前記イシュー発生判断部は、新たな公示情報が登録された場合、証券に関するイシューが発生したと判断することを特徴とする、請求項１２に記載の検索サーバ。
【請求項１４】
前記イシュー発生判断部は、株価の変動幅、株式取引高の変動幅、株式取引代金の変動幅のうち少なくとも一つが予め設定された変動幅以上である場合、証券に関するイシューが発生したと判断することを特徴とする、請求項１２に記載の検索サーバ。
【請求項１５】
前記コレクションランキング算出部は、前記証券に関するイシューが発生したと判断された場合、前記証券コレクションランキングを１等級に決定することを特徴とする、請求項１１に記載の検索サーバ。
【請求項１６】
前記コレクションランキング算出部は、前記証券に関するイシューが発生したと判断された場合、前記証券コレクションランキングを前記予め設定された変動幅以上の変動幅を有する証券取引情報の変動幅に比例するように算出することを特徴とする、請求項１４に記載の検索サーバ。
【請求項１７】
前記検索サーバは、前記検索サーバからユーザに提供された検索結果に対するユーザのフィードバック情報を収集するユーザフィードバック情報収集部をさらに含み、
前記コレクションランキング算出部は、前記収集された証券取引情報及びユーザフィードバック情報に基づいて前記証券コレクションランキングを算出することを特徴とする、請求項１１に記載の検索サーバ。
【発明の詳細な説明】
【技術分野】
【０００１】
本発明は、証券取引情報を用いた証券コレクションランキングの算出方法、検索サーバ及びコンピュータ読み取り可能な記録媒体に関し、より詳細には、検索サービスを提供するにあたり、証券取引情報を用いて証券に関するイシューが発生したか否かを判断し、証券に関するイシューが発生した場合、これを反映して証券コレクションランキングを算出し、検索結果を提供することができる証券取引情報を用いた証券コレクションランキングの算出方法、検索サーバ及びコンピュータ読み取り可能な記録媒体に関する。
【背景技術】
【０００２】
情報通信技術の発達に伴い、インターネットを用いた様々なサービスが提供されており、特に、検索サービスが非常に活性化されている。検索サービスとは、ユーザの操作に従ってユーザ端末から送信されたキーワードに対して検索サーバが検索を行い、受信したキーワードに相当する検索結果（例えば、受信したキーワードを含むウェブサイト、ニュース、ファイル、ブログ記事、証券情報、地図情報など）を検索結果文書（検索結果ページ）として生成し、ユーザ端末に提供するサービスを意味する。
【０００３】
初期のこのような検索サービスは、受信したキーワードを含んでいる情報をリスト形式に単純に並べた形式で検索結果をユーザに提供していたが、情報の特性を考慮していなかったため、ユーザの要求を十分に満足させることができないという問題があった。このような問題を解決するために、キーワードに対応して検索された情報を、各情報の特性に応じて分類し、分類基準となった特性ごとに検索された情報をまとめて検索結果文書を生成／提供する技術が開発された。即ち、ユーザが所望の情報に容易にアクセスできるように、キーワードに対応して検索された情報を所定基準に基づいて分類（クラスタリング）し、検索結果を提供する技術が開発されている。ここで、以下、ウェブに存在する様々なデータベースを特性に応じて区分した検索の基本単位を、「コレクション（Ｃｏｌｌｅｃｔｉｏｎ）」とする（又は、カテゴリーなど、同一の意味を有する他の単語で示すこともできる）。
【０００４】
図１は、従来技術に基づき、検索結果が「コレクション」別に分類されてユーザに提供される検索結果ページの一例を示した図である。図１に示されるように、検索結果が「証券コレクション１０」と、「ニュースコレクション２０」と、に分けられてユーザに提供されることが分かる。このようなコレクションの概念を用いた従来技術による検索サービスは、受信したキーワードに対応して検索された検索結果を予め定められたコレクション別に分類し、各コレクション内で該コレクションに分類された検索結果を、受信したキーワードとの類似度が高い順に並べてユーザに提供している。
【０００５】
また、従来技術によるコレクションの概念を用いた検索サービスは、コレクション内での検索結果だけでなく、コレクション自体にもランキング（コレクションランキング）が適用され、「ウェブサイト」、「ニュース」、「ブログ」など様々なコレクションの露出順が、キーワード、検索時点などによって変更され得る。即ち、ユーザの検索行動を分析してユーザが希望する検索結果を含んでいる可能性の高いコレクションを上位に露出することにより、検索の便宜性を提供するように構成される。即ち、従来技術による検索サービスは、同じキーワードに対する検索結果のうち、ユーザが多く選択した検索結果を含んでいるコレクションを相対的に上位に露出させ、ユーザが少なく選択した検索結果を含んでいるコレクションを相対的に下位に露出させることにより、ユーザが選択する確率の高いコレクションをユーザに優先的に露出する。例えば、「サマータイム」というキーワードの場合、サマータイムの意味又は導入背景などに対するユーザの要求が高いため、アンサーコレクション、辞書コレクションが上位に配置され、歌手「ａ」の場合、歌手に対する情報又は該歌手が歌った歌に対する要求が高いため、人物情報コレクション、音楽情報コレクションが上位に配置される。
【０００６】
しかし、このような従来技術による検索サービスにおいて、コレクションランキングは、収集したユーザの検索行動（ユーザフィードバック）に基づいてそれぞれ算出される。ユーザフィードバックは、事後判断においてユーザの意図が生じたり又は変化した場合に反映することのできる要素である。従って、事後判断に基づいてコレクションのランキングが適用されるため、ユーザフィードバックが反映される間は、ユーザの意図に最適化したコレクションランキングを算出することができないという問題点がある。図２は、従来技術に基づき、「証券コレクション」のコレクションランキングの算出過程を図示したフローチャートである。図２を参照して、従来技術によるユーザフィードバックを用いたコレクションランキングの算出過程について説明する。説明の便宜上、「Ａ自動車」というキーワードに対する「証券コレクション」に対するランキング算出を仮定し、以下に述べる。先ず、「Ａ自動車」の株価に影響を与える可能性のあるイシュー（例えば、新車発表、工場増設など）が発生した場合（Ｓ２００）、「Ａ自動車」の株式に対する証券取引に多くの変化（取引高、株価、変動幅など）が発生（Ｓ２０２）するようになり、これによりユーザが「Ａ自動車」というキーワードを用いて検索を行う場合、ユーザは、「Ａ自動車」で生産する自動車の情報ではなく、「Ａ自動車」に対する証券情報を求めて検索を行う可能性が高い。しかし、該イシューが発生した時点でユーザが「Ａ自動車」というキーワードを用いて検索を行う場合、イシューが発生していない時点でのユーザフィードバックを用いて決定されたコレクションランキングによる検索結果がユーザに提供される（Ｓ２０４）。発生したイシューが証券コレクションランキングに反映されるためには、イシューが発生した後の検索結果に対するユーザフィードバックを収集（Ｓ２０６）し、収集されたユーザフィードバックに基づいて証券コレクションランキングを再調整（Ｓ２０８）しなければならない。従って、イシューが発生した時点と、証券コレクションランキングが再調整される時点との間には相当な時間的ギャップが生じ、これにより、ユーザの検索満足度が低下するという問題点がある。即ち、従来技術によると、イシューが反映されたコレクションランキングを用いた検索（Ｓ２１０）が、イシュー発生時点と同時に又はイシュー発生時点から短時間の間に行われることができないという問題点がある。
【０００７】
一方、韓国特許出願第１０−２００９−００３９９９７号（エントロピースコアを用いた検索結果提供方法及び装置）明細書には、入力されたクエリに対する検索結果を該クエリに係るカテゴリー別に分類してユーザに提供するように構成された発明であって、入力されたクエリに係るカテゴリーを決定し、決定されたカテゴリーの文書のうちクエリが含まれている文書を取り出した後、取り出された文書のエントロピースコア（カテゴリーに係る情報が含まれている程度）を用いて文書のランキングを決定し、ランキングに応じて文書を整列してユーザに提供することができる発明が開示されている。しかし、このような先行技術は、特定のカテゴリー内における文書ランキングの決定に関する技術であって、カテゴリーの概念を提示してはいるものの、カテゴリーのランキングを決定するための具体的な解決策を提示してはいないため、上述の従来技術の問題点を解決することができない。
【先行技術文献】
【特許文献】
【０００８】
【特許文献１】韓国公開特許第２０１０−０１２１０４４号公報
【発明の概要】
【発明が解決しようとする課題】
【０００９】
本発明の目的は、上述の従来技術の問題点を解決することにある。
【００１０】
本発明の他の目的は、証券取引情報のモニタリングにより証券に関するイシューが発生したか否かを判断し、証券に関するイシューが発生した場合、これをすぐ反映して証券コレクションのランキングを決定することができる証券取引情報を用いた証券コレクションランキングの算出方法、検索サーバ及びコンピュータ読み取り可能な記録媒体を提供することにある。
【００１１】
本発明のさらに他の目的は、証券に関するイシューとユーザフィードバックの両方を反映し、ユーザの検索意図に合うように証券コレクションのランキングを決定することができる証券取引情報を用いた証券コレクションランキングの算出方法、検索サーバ及びコンピュータ読み取り可能な記録媒体を提供することにある。
【課題を解決するための手段】
【００１２】
上記の本発明の目的を果たし、後述する本発明の特有の効果を果たすための、本発明の特徴的な構成は下記のとおりである。
【００１３】
本発明の一態様によると、検索サーバによって行われる証券コレクションランキングの算出方法であって、証券取引情報を収集する段階と、前記収集された証券取引情報に基づいて前記証券コレクションランキングを算出する段階と、を含むことを特徴とする証券コレクションランキングの算出方法が提供される。
【００１４】
本発明の他の態様によると、証券コレクションランキングを算出して検索結果を提供する検索サーバであって、証券取引情報を収集する証券取引情報収集部と、前記収集された証券取引情報に基づいて前記証券コレクションランキングを算出するコレクションランキング算出部と、を含むことを特徴とする検索サーバが提供される。
【発明の効果】
【００１５】
上述のように、本発明によると、証券取引情報のモニタリングにより証券に関するイシューが発生したか否かを判断し、証券に関するイシューが発生した場合、これをすぐに反映して証券コレクションのランキングを決定し、ユーザの検索満足度を上昇させることのできる効果がある。
【００１６】
また、本発明によると、証券に関するイシューとユーザフィードバックの両方を反映し、ユーザの検索意図に合うように証券コレクションのランキングを決定し、ユーザの検索満足度を上昇させることのできる効果がある。
【図面の簡単な説明】
【００１７】
【図１】検索結果がコレクション別に分類されてユーザに提供される検索結果ページの一例を示す図である。
【図２】従来技術によるユーザフィードバックを用いたコレクションランキングの算出過程を図示したフローチャートである。
【図３】本発明の好ましい一実施形態による全体システムの構成ブロック図である。
【図４】本発明の好ましい一実施形態による検索サーバの構成ブロック図である。
【図５】本発明の好ましい一実施形態による検索サーバで行われる証券コレクションランキングの算出過程を図示したフローチャートである。
【発明を実施するための形態】
【００１８】
後述する本発明についての詳細な説明は、本発明が実施できる特定実施形態を例示として示す添付図面を参照する。これらの実施形態は、当業者が本発明を十分に実施することができるように詳細に説明される。本発明の多様な実施形態は、互いに異なるが、相互に排他的な必要はないということを理解すべきである。例えば、ここに記載されている特定の形状、構造及び特徴は、一実施形態に関連して本発明の思想及び範囲を外れずに他の実施形態に具現されてもよい。また、それぞれの開示された実施形態内の個別構成要素の位置又は配置は、本発明の思想及び範囲を外れずに変更され得ることを理解すべきである。従って、後述する詳細な説明は限定的な意味で扱うものではなく、本発明の範囲は、適切に説明されるならば、その請求範囲が主張するものと均等な全ての範囲とともに、添付した請求範囲によってのみ限定される。図面において、類似の参照符号は、様々な側面にわたって同一又は類似の機能を示す。
【００１９】
以下、本発明が属する技術分野における通常の知識を有した者が本発明を容易に実施することができるように、本発明の好ましい実施例について添付図面を参照して詳細に説明する。
【００２０】
［本発明の好ましい実施形態］
本発明の実施形態において、「コレクション」とは、キーワードに対応して検索された検索情報の特性によるカテゴリーを意味する。例えば、コレクションは、検索情報が構造化して格納されたデータベースの種類に応じて決定されることもできるが、これに限定されるものではない。
【００２１】
また、「コレクションランキング」とは、検索結果の該コレクションが露出される順位を示す用語であって、コレクションランキングが高いほど検索結果の上位に露出されることを意味する。以下、コレクションランキングスコアによって、最高のコレクションランキングスコアを有するコレクションが最上位に露出される１等級のコレクションランキングを有するように設定され、次のコレクションランキングスコアを有するコレクションが２等級のコレクションランキングを有するように設定された実施形態を基準として説明するが、これに限定されるものではない。
【００２２】
全体システムの構成
図３は本発明の好ましい一実施形態による全体システムの構成ブロック図である。以下、図３を参照して、本発明による全体システムの構成及び機能について詳細に説明する。図３に図示されたように、本発明による全体システムは、ユーザ端末１００と、ネットワーク１１０と、外部サーバ１２０と、検索サーバ１３０と、を含むことができる。
【００２３】
ユーザ端末１００は、ネットワーク１１０を介して検索サーバ１３０に連結され、ユーザの操作に従って入力されるキーワードを検索サーバ１３０に送信して検索を要請し、検索要請に応じて検索サーバ１３０から送信された検索結果を受信して出力する機能を果す。上述のように、検索サーバ１３０から送信された検索結果は、コレクション別に分類された複数の検索情報を含むウェブページであってもよい。上述のようなユーザ端末１００は、一般的に用いられる個人用情報通信機器であって、デスクトップパソコンだけでなく、ノートパソコン、ワークステーション、パームトップ（ｐａｌｍｔｏｐ）パソコン、個人携帯情報端末（ｐｅｒｓｏｎａｌ  ｄｉｇｉｔａｌ  ａｓｓｉｓｔａｎｔ；ＰＤＡ）、ウェブパッド、及びスマートフォンを含む移動通信端末などのように、メモリ手段を備えるとともにマイクロプロセッサを搭載して、演算能力及びネットワークを介するデータ通信能力を備えたデジタル機器であれば、本発明によるユーザ端末１００として採択することができる。
【００２４】
外部サーバ１２０とは、ネットワーク１１０を介して検索サーバ１３０に検索情報を提供する機能を果すサーバであって、実施形態により、外部サーバ１２０が検索サーバ１３０に直接検索情報を提供するように構成されてもよく、又は検索サーバ１３０がウェブクローリング法などにより外部サーバ１２０から検索情報を収集するように構成されてもよく、又は前記二つの方式を混合して構成されてもよい。さらに好ましくは、本発明による外部サーバ１２０は、証券取引情報を提供する証券に係るサーバ（例えば、証券会社サーバなど）を含むことができる。証券取引情報を提供する外部サーバ１２０は、設定又は要請に応じて、リアルタイム及び／又は周期的に証券取引情報（株式別公示情報、株価情報、取引高情報、取引代金情報など）を検索サーバ１３０に提供するように構成される。
【００２５】
検索サーバ１３０は、ユーザ端末１００から送信されたキーワードを受信し、受信したキーワードに対応する検索情報をデータベース１３２から取り出して検索結果を生成し、生成された検索結果をユーザ端末１００に送信する検索サービス機能を果す。検索サービス過程において、検索サーバ１３０は受信したキーワードに対応する複数の検索情報を取り出し、取り出された複数の検索情報をその特性に応じてそれぞれコレクション別に分類する機能を果す。実施形態の構成に応じて、コレクション別に別のデータベースが構築されている場合、コレクションは該検索情報が格納されたデータベースであってもよい。例えば、検索サーバ１３０が、ニュースに係る検索情報が格納されるニュースデータベース、ブログに係る検索情報が格納されるブログデータベース、アンサーに係る検索情報が格納されるアンサーデータベース、ウェブサイトに係る検索情報が格納されるウェブサイトデータベース、及び証券に係る検索情報が格納される証券情報データベースをそれぞれ備えている場合、取り出された検索情報のコレクションは、該検索情報が格納されたデータベースに基づいて分類される。即ち、ニュースデータベースから取り出された検索情報はニュースコレクションに分類され、証券情報データベースから取り出された検索情報は証券コレクションに分類される。勿論、検索情報を分類する方法は上述したところに限定されるものではなく、様々な変形と変容が行われ得るものであり、このような様々な変形／変容にもかかわらず本発明の技術的要旨を含んでいる限り、本発明の権利範囲に属することは当業者にとって自明である。取り出された複数の検索情報をコレクション別に分類した後、検索サーバ１３０がコレクション別にコレクションランキングを算出し、算出されたコレクションランキングに応じて検索情報を含んでいるそれぞれのコレクションを整列して検索結果を生成し、ユーザ端末１００に送信するように構成される。
【００２６】
一方、さらに好ましくは、本発明による検索サーバ１３０は、外部サーバ１２０から送信された証券取引情報を受信し、受信した証券取引情報を用いて証券コレクションのコレクションランキングを算出するように構成されてもよい。即ち、本発明による検索サーバ１３０は、通常、上述のようなユーザの検索行動（以下、「ユーザフィードバック」とする）を用いてコレクション別のコレクションランキングを算出するが、受信した証券取引情報を分析した結果、証券に関するイシューが発生したと判断された場合、証券コレクションランキングに限りユーザフィードバック情報の代わりに、発生された証券に関するイシューを反映する証券取引情報に基づいて証券コレクションのランキングを算出するように構成されてもよい。従って、証券に関するイシューが発生した場合、本発明による検索サーバ１３０は、発生した証券に関するイシューを反映する証券取引情報に基づいて証券コレクションのランキングを算出（証券コレクション以外のコレクションのランキングは、ユーザフィードバック情報に基づいて算出される）し、これにより算出されたコレクション別のランキングに応じて検索情報を構成することができ、ユーザの検索満足度を向上させる効果を奏することができる。このような証券コレクションランキングを算出する具体的な詳細構成及びその機能については、図４を参照して後述する。
【００２７】
検索サーバの構成及び機能
図４は本発明の好ましい一実施形態による検索サーバの構成ブロック図である。以下、図４を参照して、本発明による検索サーバの詳細構成とその機能について詳細に説明する。図４に図示されたように、本発明による検索サーバ１３０は、証券取引情報収集部２００と、イシュー発生判断部２０４と、ユーザフィードバック情報収集部２０２と、コレクションランキング算出部２０６と、検索処理部２０８と、データベース１３２と、を含むことができる。
【００２８】
本発明の好ましい一実施形態による証券取引情報収集部２００は、外部サーバ１２０から送信された証券取引情報を受信したり、又は外部サーバ１２０をクローリングして証券取引情報を収集する機能を果す。本発明による証券取引情報収集部２００は、上場されて現在取引されている全ての株式に対する株価情報、株式取引高情報、株式取引代金情報、及び公示情報を含むことができる。勿論、実施形態の構成に応じて、予め設定された特定の株式に対する証券取引情報のみを収集するように構成されてもよい。上述の証券取引情報収集部２００による証券取引情報の収集は、設定に応じて、リアルタイム又は周期的又は非周期的に行われ得る。
【００２９】
本発明の好ましい一実施形態によるイシュー発生判断部２０４は、上述の証券取引情報収集部２００によって収集された証券取引情報を分析し、証券に関するイシューが発生したか否かを判断するように構成される。この際、実施形態の構成に応じて、イシュー発生判断部２０４は、特定の株式に係る公示情報が新たに登録された場合、特定の株式に関するイシューが発生したと判断するように構成されてもよく、また、特定の株式の株価の変動幅、取引高の変動幅、取引代金の変動幅のうち少なくとも一つが予め設定された変動幅以上である場合、特定の株式に関するイシューが発生したと判断するように構成されてもよい。
【００３０】
これについてより詳細に説明すると、本発明によるイシュー発生判断部２０４は、イシューが発生したか否かを判断するために、予め設定された基準情報（基準株価の変動幅、基準取引高の変動幅、基準取引代金の変動幅、など）に関する情報を格納しており、受信した証券取引情報を予め設定された基準情報と比較してイシューが発生したか否かを判断するように構成される。例えば、株価の変動幅を基準としてイシューが発生したか否かを判断し、基準株価の変動幅が一日上下限１０％に設定された実施形態において、イシュー発生判断部２０４が、収集された全ての株式の株価情報を分析し、一日を基準として、株価が１０％以上上昇した項目又は株価が１０％以上下落した項目に対して証券に関するイシューが発生したと判断するように構成される。実施形態の構成に応じて、イシューが発生したか否かを判断するための証券に関する情報の種類、及び基準情報の設定値は多様に変形されて適用されてもよく、前記の実施形態に限定されず、本発明の要旨を含んでいる限り、本発明の権利範囲に属する。
【００３１】
一方、実施形態の構成に応じて、本発明によるイシュー発生判断部２０４は省略されたり、その機能が後述するコレクションランキング算出部２０６に統合されてもよい。即ち、実施形態が、証券コレクションランキングの算出時にイシューが発生したか否かを判断することなく無条件に証券取引情報をランキング算出に反映するように構成される場合、イシュー発生判断部２０４は省略されてもよい。
【００３２】
本発明の好ましい一実施形態によるユーザフィードバック情報収集部２０２は、一般的な状況（即ち、証券に関するイシューが発生されていない状況）において各コレクションのコレクションランキングを算出するためのユーザの検索行動に関する情報を収集するための構成要素であって、検索結果に対するユーザ反応を収集するための公知の様々なアルゴリズムのうち一つが必要に応じて採択することができる。例えば、本発明によるユーザフィードバック情報収集部２０２は、同一／類似したキーワードを入力したユーザのうち、特定のコレクションに含まれた検索情報を選択したユーザの数をユーザフィードバック情報として収集することができる。
【００３３】
本発明の好ましい一実施形態によるコレクションランキング算出部２０６は、検索結果に含まれる複数のコレクションそれぞれに対するコレクションランキングを算出する機能を果すように構成される。本発明によるコレクションランキング算出部２０６は、証券コレクション以外の他のコレクションに対しては、上述のユーザフィードバック情報収集部２０２によって収集されるユーザフィードバック情報のみに基づいてコレクションランキングを算出するように構成され、証券コレクションに対しては、証券取引情報及び／又はユーザフィードバック情報に基づいて証券コレクションランキングを算出するように構成される。以下、本発明の様々な実施形態によるコレクションランキング算出部２０６による証券コレクションランキングの算出方法について説明する。
【００３４】
第１実施形態
本発明の第１実施形態によるコレクションランキング算出部２０６は、証券に関するイシューが発生したと判断された場合、証券コレクションランキング及び証券コレクション以外の他のコレクションランキングをそれぞれ独立して算出するように構成される。即ち、第１実施形態によるコレクションランキング算出部２０６は、先ず、証券取引情報に基づいて証券コレクションランキングを決定した後、他のコレクションに対しては、各コレクションに対するユーザフィードバック情報に基づいてコレクションランキングスコアを算出する。その後、証券コレクションランキングで決定された順位以外の他の順位に対してそれぞれコレクションランキングを決定するように構成される。
【００３５】
例えば、証券に関するイシューが発生されたと判断された場合、証券コレクションランキングを無条件に予め設定された等級（例えば、１等級）に決定するように構成された実施形態において、イシュー発生判断部２０４によって証券に関するイシューが発生されたと判断されると、コレクションランキング算出部２０６は、先ず、証券コレクションランキングを１等級に決定するように構成される。その後、コレクションランキング算出部２０６は、残りの順位（例えば、６個のコレクションを露出させるように構成された実施形態の場合、２等級〜６等級）を有するコレクションを決定するために、各コレクションに対するユーザフィードバック情報に基づいてそれぞれコレクションランキングスコアを算出し、算出されたコレクションランキングスコアが高い順にそれぞれのコレクションに対するコレクションランキングを決定するように構成される。
【００３６】
一方、他の実施形態、即ち、証券に関するイシューが発生されたと判断された場合、証券取引情報（株価の変動幅、株式取引高の変動幅、株式取引代金の変動幅のうち少なくとも一つ）に比例して証券コレクションランキングを算出するように構成された実施形態において、イシュー発生判断部２０４によって証券に関するイシューが発生されたと判断されると、コレクションランキング算出部２０６は、先ず、収集された証券取引情報に基づいて証券コレクションランキングを算出する。例えば、本発明によるコレクションランキング算出部２０６は、株価の変動幅を基準としてイシューが発生したか否かを判断し、基準株価の変動幅が一日上下限１０％に設定／格納されて、変動幅が１０％以上である場合、その変動幅に応じて証券コレクションランキングを予め設定された等級に決定するように構成されてもよい。上述のように構成される一実施形態によるコレクションランキング算出部２０６の証券コレクションランキングの決定基準を以下の表１に示した。表１に示したものは本発明を容易に理解するための例示に過ぎず、証券取引情報の種類、イシューが発生したか否かを判断するための変動幅の設定、変動幅による証券コレクションランキングの設定などは、必要に応じて多様に変形／変容され得ることを理解すべきであり、このように変形／変容しても本発明の権利範囲に属することは当業者にとって自明な事項である。
【００３７】
【表１】
2013140579.tif 000003
【００３８】
従って、コレクションランキング算出部２０６は、収集された証券取引情報を分析し、特定の株式の株価が１３％上昇したと判断された場合、証券コレクションのランキングを２等級に決定した後、証券コレクション以外のコレクションに対しては、各コレクションに対するユーザフィードバック情報に基づいてコレクションランキングスコアを算出し、算出されたコレクションランキングスコアが高い順にそれぞれのコレクションに対するコレクションランキングを１等級、３等級〜６等級に決定するように構成される。
【００３９】
第２実施形態
本発明の第２実施形態によるコレクションランキング算出部２０６は、前記の第１実施形態と異なり、証券コレクションランキング及び証券コレクション以外の他のコレクションランキングを統合して算出するように構成される。即ち、第２実施形態によるコレクションランキング算出部２０６は、証券コレクションランキングの算出時に、証券コレクションに対するユーザフィードバック情報及び証券取引情報を用いて証券コレクションランキングスコアを算出し、他のコレクションに対しては、各コレクションに対するユーザフィードバック情報に基づいてコレクション別のランキングスコアを算出し、算出されたコレクション別ランキングスコアに応じてコレクションランキングを決定するように構成される。
【００４０】
以下、ｆ１（ｘ）を、Ｘコレクションに対するコレクションランキングスコアを算出するためのアルゴリズムと仮定する。コレクションランキング算出部２０６は、証券コレクション以外の他のコレクションに対しては、ｆ１（ｘ_ユーザフィードバック情報）を用いてコレクションランキングスコアを算出し、証券コレクションに対しては、ｆ１（証券_（ユーザフィードバック情報、証券取引情報））を用いて証券コレクションランキングスコアを算出するように構成される。即ち、コレクションランキング算出部２０６は、証券コレクションに対しては、ユーザフィードバック情報に基づく証券コレクションランキングスコアに、証券取引情報による所定の重み（加重値）をつけるように構成される。
【００４１】
例えば、証券取引情報（株価の変動幅、株式取引高の変動幅、株式取引代金の変動幅のうち少なくとも一つ）に比例して証券コレクションランキングを算出するように構成された実施形態において、証券コレクションランキングスコアは、下記の式を用いて算出されることができる。
【００４２】
証券コレクションランキングスコア＝ｆ１（証券_ユーザフィードバック情報）＋ｆ２（証券取引情報）
【００４３】
ここで、ｆ２（証券取引情報）は、証券取引情報（変動値）に比例して重みを算出するためのアルゴリズムであって、例えば、株価の変動幅を基準として重みを算出する場合、ｆ２（株価の変動幅）による重みを算出することができる。これと同様に、株価の変動幅と株式取引高の変動幅によって重みを算出するように構成される場合、ｆ２（株価の変動幅、株式取引高の変動幅）による重みを算出することができる。従って、証券取引情報を分析した結果、その変動幅が高くなるほど証券コレクションランキングスコアの算出時に、ｆ１（証券_ユーザフィードバック情報）に合算される重みが高くなるため、証券コレクションランキングが上昇され得る。上述のｆ２（証券取引情報）は、ｆ１（証券_ユーザフィードバック情報）に対して独立していてもよく、係るものであってもよい。下記の表２は、ｆ１（証券_ユーザフィードバック情報）から独立したｆ２（証券取引情報）の算出基準の一例を示すものであり、表３は、ｆ１（証券_ユーザフィードバック情報）に係るｆ２（証券取引情報）の算出基準の一例を示すものである。
【００４４】
【表２】
2013140579.tif 000004
【００４５】
表２において、ａ＜ｂ＜ｃ＜ｄ＜ｅであり、表２に示された実施形態は、株価の変動幅区間に応じて所定の重みが設定され、収集された証券取引情報を分析した結果による株価の変動幅が属する区間に設定された重みが、ｆ２（証券取引情報）として決定される実施形態を示している。勿論、例えば「ｆ２（株価の変動幅）＝ａ＊（株価の変動幅）」のように、株価の変動幅区間でなく、株価の変動幅を変数とするｆ２（証券取引情報）が採択されてもよい。
【００４６】
【表３】
2013140579.tif 000005
【００４７】
表３において、ｆ＜ｇ＜ｈ＜ｉ＜ｊであり、表３に示された実施形態は、株価の変動幅区間に応じてｆ１（証券_ユーザフィードバック情報）に乗ずる所定の重みが設定され、収集された証券取引情報を分析した結果による株価の変動幅が属する区間に設定された重みにｆ１（証券_ユーザフィードバック情報）を乗じた値が最終のｆ２（証券取引情報）として算出される実施形態を示している。
【００４８】
前記の表２及び表３を参照して説明された実施形態は、説明のための例示的な実施形態であり、ｆ２（証券取引情報）としては、重みを算出するための様々な公知のアルゴリズムのうち一つが、必要に応じて採択されて用いられてもよく、特定の算出アルゴリズムに限定されるものではない。
【００４９】
第３実施形態
本発明の第３実施形態によるコレクションランキング算出部２０６は、前記の第１及び第２の実施形態と異なり、先ず、ユーザフィードバック情報に基づいて証券コレクションを含む全てのコレクションに対するコレクションランキングスコアを算出した後、算出されたコレクションランキングスコアに応じてそれぞれのコレクションランキングを１次に決定し、１次に決定された証券コレクションランキングを証券取引情報に基づいて調整するように、最終の証券コレクションランキングを決定するように構成される。下記の表４は、第３実施形態による証券コレクションランキングの調整基準に対する一例である。
【００５０】
【表４】
2013140579.tif 000006
【００５１】
表４に示された基準による一例について説明すると、例えば、ユーザフィードバック情報に基づいて決定された１次の証券コレクションランキングが４等級であり、一日株価の変動幅が１３％である場合、コレクションランキング算出部２０６は、１次の証券コレクションランキングを２等級に上げて２等級に最終決定し、証券コレクションランキングの上昇に伴い、１次のコレクションランキングが２等級であるコレクションのランキングを３等級に、３等級であるコレクションのランキングを４等級に調整することにより、全てのコレクションのランキングを最終決定するように構成される。
【００５２】
上述の表４を参照して説明された実施形態は、説明のための例示的な実施形態に過ぎず、１次に算出した証券コレクションランキングを調整するために、様々な公知のアルゴリズムのうち一つが必要に応じて採択されて用いられてもよく、特定の調整アルゴリズムに限定されるものではないということを理解すべきである。
【００５３】
検索処理部２０８は、ユーザ端末１００から送信されたキーワードを受信し、受信したキーワードに対応する検索情報をデータベース１３２から取り出し、コレクションランキング算出部２０６によって決定されたコレクションランキングに応じて多数のコレクションを並べて検索情報を生成した後、これをユーザ端末１００に提供する機能を果す。このような検索処理部２０８自体は、既に公知の技術を採択しているため、これ以上の詳細な説明は省略する。
【００５４】
一方、図４の検索サーバ１３０の各構成部（証券取引情報収集部２００、ユーザフィードバック情報収集部２０２、イシュー発生判断部２０４、コレクションランキング算出部２０６、及び検索処理部２０８）は、一つの機械内に具現されていてもよく、一部又はそのそれぞれが物理的に異なる機械に具現されていてもよく、同一の機能を行う物理的に複数個存在する機械が並列に存在していてもよい。このように、本発明は、各構成部が設けられた機械又はデータベースの物理的な個数及び位置に限定されず、様々な方式により設計変更されることができることは、本発明が属する技術分野において通常の知識を有した者にとって自明であろう。
【００５５】
証券コレクションランキングの算出過程の例示
図５は本発明の好ましい一実施形態による検索サーバで行われる証券コレクションランキングの算出過程を図示したフローチャートである。以下、図５を参照して上述のように構成された本発明による検索サーバ１３０における証券コレクションランキングの算出過程について詳細に説明する。
【００５６】
先ず、検索サーバ１３０は、ユーザ端末１００から送信されたキーワードを受信し、前記受信したキーワードを含む検索情報を取り出し、取り出された検索情報のうち少なくとも一つが証券コレクションに分類されるか否かを判断する。取り出された検索情報のうち少なくとも一つが証券コレクションに含まれるべき検索情報に該当する場合、検索サーバ１３０は、証券コレクションランキングを算出するための本発明による一連の過程を行うように構成され、取り出された検索情報の何れも証券コレクションに含まれるべき検索情報に該当しない場合、通常のコレクションランキングの算出過程を行って検索結果を生成／提供する。
【００５７】
取り出された検索情報のうち少なくとも一つが証券コレクションに含まれるべき検索情報に該当する場合、検索サーバ１３０は、証券取引情報を収集する（Ｓ５００）。勿論、検索サーバ１３０による証券取引情報は、上述のイベント発生に関係なく、リアルタイム又は周期的に収集されるように構成されることができる。このような実施形態の場合、段階Ｓ５００において、検索サーバ１３０は、証券取引情報を収集したり、格納された最新の証券取引情報を取り出す機能を果す。
【００５８】
証券取引情報が収集又は取り出されると、検索サーバ１３０は、既に格納された証券取引情報を用いて証券取引に対する変動情報を算出し（Ｓ５０２）、算出された変動情報を用いて証券に関するイシューが発生したか否かを判断する（Ｓ５０４）。例えば、一日の株価の変動幅に応じて証券に関するイシューが発生したか否かを判断するように構成された実施形態の場合、検索サーバ１３０は、キーワードを受信した時点（又は受信した日付）での株価と、一日前の株価とを比較して株価の変動幅を算出し、算出した株価の変動幅と、予め設定された基準株価の変動幅とを比較して、算出した株価の変動幅が設定された基準以上である場合、証券に関するイシューが発生されたと判断する。また、実施形態の構成に応じて、検索サーバ１３０で別の証券取引に対する変動情報を算出することなく、外部サーバ１２０から証券取引に対する変動情報を含む証券取引情報の提供を受けたり収集するように構成されることもできる。
【００５９】
証券に関するイシューが発生されていないと判断された場合、検索サーバ１３０は、通常のユーザフィードバック情報に基づく証券コレクションランキング算出アルゴリズムに従って証券コレクションランキングを算出する（Ｓ５０８）。
【００６０】
一方、証券に関するイシューが発生されたと判断された場合、検索サーバ１３０は、上述の第１実施形態〜第３実施形態のうち何れか一つの実施形態に従って、証券取引情報及び／又はユーザフィードバック情報に基づいて証券コレクションランキングを算出する（Ｓ５０６）。
【００６１】
証券コレクションを含む検索結果に含まれるべき全てのコレクションそれぞれに対するコレクションランキングが決定されると、検索サーバは、決定されたコレクションランキングに応じて、検索情報を含んでいる多数のコレクションを並べて検索情報を生成した後、これをユーザ端末１００に提供して検索サービスを提供する（Ｓ５１０）。
【００６２】
上述の実施形態は、証券に関するイシューが発生したか否かに応じて、通常の証券コレクションランキング算出アルゴリズムと、発生したイシューを反映した証券コレクションランキング算出アルゴリズムのうち一つを選択して証券コレクションランキングを算出するように構成されているが、実施形態の構成に応じて、証券に関するイシューが発生したか否かを別に判断することなく、無条件に証券取引情報を反映して証券コレクションランキングを算出するように構成されてもよい。
【００６３】
本発明による実施形態は、多様なコンピュータ手段によって実行されるプログラム命令の形態に具現され、コンピュータ読み取り可能な媒体に記録されることができる。前記コンピュータ読み取り可能な媒体は、プログラム命令、データファイル、データ構造などを単独に、または組み合わせて含むことができる。前記媒体に記録されるプログラム命令は、本発明のために特別に設計及び構成されたものであってもよく、コンピュータソフトウェアの当業者に公知されて使用可能なものであってもよい。コンピュータ読み取り可能な記録媒体の例としては、ハードディスク、フロッピー（登録商標）ディスク及び磁気テープなどの磁気媒体（ｍａｇｎｅｔｉｃ  ｍｅｄｉａ）、ＣＤ−ＲＯＭ、ＤＶＤなどの光記録媒体（ｏｐｔｉｃａｌ  ｍｅｄｉａ）、フロプティカルディスク（ｆｌｏｐｔｉｃａｌ  ｄｉｓｋ）などの磁気−光媒体（ｍａｇｎｅｔｏ−ｏｐｔｉｃａｌ  ｍｅｄｉａ）及びＲＯＭ、ＲＡＭ、フラッシュメモリなどのような、プログラム命令を格納及び実行するように特別に構成されたハードウェア装置が含まれる。プログラム命令の例としては、コンパイラによって作られるような機械語コードだけでなく、インタープリタなどを用いてコンピュータによって実行されることができる高級言語コードも含まれる。前記ハードウェア装置は、本発明の動作を行うために一つ以上のソフトウェアモジュールとして作動するように構成されることができ、その逆も同様である。
【００６４】
以上、本発明を具体的な構成要素などの特定事項と、限定された実施例及び図面を参照して説明したが、これは本発明のより全体的な理解を容易にするために提供されたものにすぎず、本発明は前記実施例によって限定されず、本発明が属する分野で通常的な知識を有した者であれば、このような記載から多様な修正及び変形が可能である。
【００６５】
従って、本発明の思想は前記実施例に限定されて規定されるものではなく、添付する特許請求範囲だけでなく、特許請求範囲と均等または等価的に変形された全ては、本発明の思想の範疇に属するとするべきであろう。
【符号の説明】
【００６６】
１００  ユーザ端末   
１１０  ネットワーク
１２０  外部サーバ   
１３０  検索サーバ
２００  証券取引情報収集部
２０２  ユーザフィードバック情報収集部
２０４  イシュー発生判断部
２０６  コレクションランキング算出部
２０８  検索処理部
【図１】
2013140579.tif 000007
【図２】
2013140579.tif 000008
【図３】
2013140579.tif 000009
【図４】
2013140579.tif 000010
【図５】
2013140579.tif 000011